(57)【特許請求の範囲】
【請求項１】
基板生産ラインによる基板生産を管理する生産管理装置であって、前記基板生産ラインは、前記基板に対して各種の生産処理を実行する基板生産装置と、生産処理された前記基板を検査する検査装置と、を有し、前記生産管理装置は、前記基板生産装置により生産処理された規定数量の初期基板を対象として前記検査装置が検査する試験生産工程から後の本生産工程への移行前において、前記検査装置による前記初期基板の検査状態および検査結果に基づいて、前記基板生産装置が受け付ける動作指令の実行許否を判定する許否判定部と、前記許否判定部による判定結果に基づいて前記基板生産装置における動作指令の処理を制御する処理管理部と、前記本生産工程により生産される基板種別ごとに、前記試験生産工程における検査の前記規定数量および／または制限タイプが関連付けられた試験生産データとを備え、
前記許否判定部は、前記試験生産データに基づいて前記基板生産装置が受け付ける動作指令の実行許否を判定する、基板生産ラインの生産管理装置。
【請求項２】
前記試験生産工程には、前記検査装置により基板機能を検査する機能検査が含まれ、前記許否判定部は、前記規定数量の前記初期基板を対象とした前記機能検査の結果に基づいて、前記試験生産工程から前記本生産工程への移行処理に係る前記動作指令の実行許否を判定する、請求項１の基板生産ラインの生産管理装置。
【請求項３】
前記処理管理部は、前記基板生産ラインにおいて前記基板の搬送方向の最上位に位置する前記基板生産装置への前記基板の搬入を制限することにより、前記試験生産工程から前記本生産工程への移行処理を制御する、請求項１または２の基板生産ラインの生産管理装置。
【請求項４】
前記許否判定部は、前記処理管理部が前記動作指令の処理を制限した後に、前記検査装置による検査結果が更新された場合に、当該動作指令の実行許否を再度判定し、前記処理管理部は、前記許否判定部により当該動作指令が許可された場合には、当該動作指令の処理に対する制限を自動で解除する、請求項１〜３の何れか一項の基板生産ラインの生産管理装置。
【請求項５】
前記生産管理装置は、前記本生産工程により生産される基板種別ごとに、前記試験生産工程における検査の検査種別が関連付けられた試験生産データを備え、前記許否判定部は、次に実施される前記本生産工程に対応した前記試験生産工程における前記検査種別を前記試験生産データから取得して、当該検査種別の検査を行う前記検査装置による前記初期基板の検査状態および検査結果に基づいて、前記基板生産装置が受け付ける動作指令の実行許否を判定する、請求項１〜４の何れか一項の基板生産ラインの生産管理装置。
【発明の詳細な説明】
【技術分野】
【０００１】
本発明は、部品が実装された基板を生産する基板生産ラインの生産管理装置に関する。
【背景技術】
【０００２】
基板生産ラインは、特許文献１に開示されているように、基板生産装置や検査装置などにより構成される。基板生産装置は、基板に対して各種の生産処理を実行する装置であり、はんだ印刷機、部品実装機、リフロー機などが含まれる。検査装置は、基板生産装置により生産処理された基板を検査する装置であり、はんだ検査装置、外観検査装置、機能検査装置などが含まれる。基板生産ラインにより生産処理される基板は、上記の検査装置によって適宜検査を実行される。例えば、生産工程の最終段階にある基板は、機能検査装置により基板機能の正否を検査される（特許文献２を参照）。
【０００３】
また、基板生産ラインにおいては、生産計画によりジョブが切り替えられる場合に、基板を大量生産する本生産工程を実施する前に、初期基板を生産する試験生産工程を実施することがある。この試験生産工程では、規定数量の初期基板が生産され、予め設定されている種別の検査が実行される。初期基板は、検査にのみ用いられる専用基板として生産される場合と、検査用を兼ねつつ製品基板の一部として生産される場合とがある。このような試験生産工程における検査により、基板生産ラインにセットされた部品種別、設定された制御プログラムやパラメータが適正であるか否かが判定される。基板生産ラインは、この判定結果に基づいて基板生産装置などを調整される。
【先行技術文献】
【特許文献】
【０００４】
【特許文献１】特開２０１２−２２７４０７号公報
【特許文献２】特開２００９−００４７１４号公報
【発明の概要】
【発明が解決しようとする課題】
【０００５】
ここで、基板生産ラインを構成する基板生産装置は、試験生産工程の実施中であってもオペレータによる動作指令を受け付けることが可能である。そのため、試験生産工程による初期基板の良否判定がなされる前に、誤って本生産工程が開始されてしまうおそれがある。そうすると、後に試験生産工程により初期基板が不良であると判定された場合に、それまでに生産された基板が無駄となり損失を被ることになる。また、試験生産工程の実施中の動作指令によりパラメータなどが変更されると、段取り替えによる生産環境が保持されないおそれがある。
【０００６】
本発明は、このような事情に鑑みてなされたものであり、試験生産工程における基板生産装置の誤動作を防止するとともに生産環境を適切に保持することが可能な基板生産ラインの生産管理装置を提供することを目的とする。
【課題を解決するための手段】
【０００７】
請求項１に係る基板生産ラインの生産管理装置は、基板生産ラインによる基板生産を管理する生産管理装置であって、前記基板生産ラインは、前記基板に対して各種の生産処理を実行する基板生産装置と、生産処理された前記基板を検査する検査装置と、を有し、前記生産管理装置は、前記基板生産装置により生産処理された規定数量の初期基板を対象として前記検査装置が検査する試験生産工程から後の本生産工程への移行前において、前記検査装置による前記初期基板の検査状態および検査結果に基づいて、前記基板生産装置が受け付ける動作指令の実行許否を判定する許否判定部と、前記許否判定部による判定結果に基づいて前記基板生産装置における動作指令の処理を制御する処理管理部と、前記本生産工程により生産される基板種別ごとに、前記試験生産工程における検査の前記規定数量および／または制限タイプが関連付けられた試験生産データとを備え、前記許否判定部は、前記試験生産データに基づいて前記基板生産装置が受け付ける動作指令の実行許否を判定する。
【発明の効果】
【０００８】
このような構成によると、許否判定部により基板生産装置が受け付ける動作指令の実行許否が判定される。これにより、試験生産工程において基板生産装置における動作指令の処理が処理管理部により制御される。よって、基板生産装置の誤作動が防止される。また、基板生産装置におけるパラメータなどを変更する動作指令の処理が処理管理部により制御される。これにより、段取り替えにより構成された基板生産ラインの生産環境を適切に保持される。
【図面の簡単な説明】
【０００９】
【図１】実施形態における生産管理装置を模式的に示す構成図である。
【図２】生産計画および試験生産データを示す図である。
【図３】許否判定部による許否判定処理を示すフローチャートである。
【図４】処理管理部による動作指令の制御を示すフローチャートである。
【図５】ホストコンピュータにおける動作指令に対する許可信号等の送出処理を示すフローチャートである。
【発明を実施するための形態】
【００１０】
以下、本発明の基板生産ラインの生産管理装置を具体化した実施形態について図面を参照して説明する。基板生産ラインは、例えば、集積回路などの基板製品の製造に用いられる。
【００１１】
＜実施形態＞（基板生産ラインの全体構成）
基板生産ライン１は、本実施形態において、複数の基板生産装置１０と、複数の検査装置２０と、基板搬送装置３０とを備えて構成される。基板生産装置１０は、基板に対して各種の生産処理を実行する。検査装置２０は、基板生産装置１０により生産された基板を検査する。基板搬送装置３０は、ベルトコンベアなどにより構成され、基板を搬送方向（図１の左右方向）へと基板を順次搬送する。また、基板生産ライン１の各装置１０，２０は、ネットワークを介してホストコンピュータ４０と通信可能に接続されている。
【００１２】
本実施形態において、基板生産ライン１は、基板の搬送方向の最上位（先頭）側から順に、スクリーン印刷機１１、印刷検査装置２１、複数の部品実装機１２、外観検査装置２２、リフロー機１３、および機能検査装置２３を備えて構成される。上記のスクリーン印刷機１１、部品実装機１２、およびリフロー機１３は、基板生産ライン１の基板生産装置１０である。印刷検査装置２１、外観検査装置２２、および機能検査装置２３は、基板生産ライン１の検査装置２０である。
【００１３】
スクリーン印刷機１１は、搬入された基板における電子部品の装着位置にペースト状のハンダを印刷する。なお、本実施形態において、スクリーン印刷機１１は、基板生産ライン１の最上位に位置している。基板生産ライン１は、このスクリーン印刷機１１への基板の搬入をもって当該基板に対する各種の生産処理の実行を指令されたものとみなす。具体的には、オペレータの機上操作等によりスクリーン印刷機１１の機内に基板が搬入されると、当該基板を対象としてハンダの印刷を自動で開始する。
【００１４】
印刷検査装置２１は、スクリーン印刷機１１によりハンダを印刷された基板の印刷状態を検査する。部品実装機１２は、スクリーン印刷機１１側から搬送された基板のハンダの上に電子部品を装着する。本実施形態では、複数の部品実装機１２が基板の搬送方向に配置されている。外観検査装置２２は、部品実装機１２側から搬送された基板に装着された電子部品の適否、および電子部品の装着位置や姿勢など、基板における電子部品の装着状態を検査する。
【００１５】
リフロー機１３は、部品実装機１２側から搬送された基板を加熱して、基板上のハンダを溶融させてハンダ付けを行う。機能検査装置２３は、ハンダ付けされた基板の機能検査を行う。詳細には、機能検査装置２３は、基板に所定の入力信号を与えて、これに対する出力信号を取得する。そして、機能検査装置２３は、取得した出力信号に基づいて、電子回路としての基板機能が正常であるか否かを検査する。
【００１６】
このように、基板生産ライン１は、基板生産装置１０および検査装置２０に対して基板を順に搬送し、各種の生産処理および検査処理を実行して基板製品を生産する。なお、基板生産ライン１は、生産する基板種別などに応じて、その構成を適宜追加、変更される。例えば、基板生産ライン１は、他の基板生産装置１０として、基板供給装置や基板反転装置、シールド装着装置、接着剤塗布装置、紫外線照射装置などを備えて構成される場合もある。
【００１７】
ホストコンピュータ４０は、基板生産ライン１の動作状況を監視し、各装置１０，２０，３０の制御を行う。このホストコンピュータ４０は、ハードディスクやフラッシュメモリなどにより構成される記憶装置４１を有する。記憶装置４１には、各装置１０，２０，３０を制御するための各種データが記憶されている。具体的には、記憶装置４１は、生産する基板種別や生産数量を含む生産計画データＭ１（図２を参照）、各装置１０，２０，３０を動作させるための制御プログラムなどを記憶している。
【００１８】
（生産管理装置の全体構成）
基板生産ライン１の生産管理装置５０は、図１に示すように、ホストコンピュータ４０に設けられた許否判定部５１と、各基板生産装置１０にそれぞれ設けられた処理管理部５２と、試験生産データＭ２を備える。許否判定部５１は、試験生産工程から後の本生産工程への移行前において、検査装置２０による初期基板の検査状態および検査結果に基づいて、基板生産装置１０が受け付ける動作指令の実行許否を判定する。
【００１９】
ここで、基板生産ライン１による基板製品の生産は、上記の試験生産工程と本生産工程の実施によりなされる。「試験生産工程」とは、予め定められている規定数量の初期基板を基板生産装置１０により生産し、当該初期基板を対象として特定の検査処理を検査装置２０が実行する工程である。「本生産工程」とは、試験生産工程の後の工程であって、生産計画データＭ１に従って試験生産工程と同種の基板を大量生産する工程である。なお、基板生産ライン１は、試験生産工程の前に必要に応じて行われる段取り替えにより、生産する基板種別に対応した生産環境を構成される。また、初期基板は、試験生産工程において、検査にのみ用いられる専用基板として生産される場合と、検査用を兼ねつつ製品基板の一部として生産される場合とがある。
【００２０】
また、試験生産工程は、基板生産ライン１が生産の対象とする基板種別によって実施される内容が相違する。本実施形態においては、試験生産工程は、図２に示すように、本生産工程により生産される基板種別（図２のＡ，Ｂ，Ｃ）ごとに、試験生産工程における試験数量、検査種別、および制限タイプが関連付けられた試験生産データＭ２に基づいて実施される。試験生産データＭ２の「試験数量」とは、試験生産工程において検査の対象となる初期基板の数量であり、本発明の「規定数量」に相当する。
【００２１】
試験生産データＭ２の「検査種別」とは、試験生産工程において最終的に必要とする検査結果に応じた種別である。本実施形態では、検査装置２０は、上記のように印刷検査装置２１、外観検査装置２２、および機能検査装置２３の何れかである。よって、試験生産データＭ２には、何れの検査装置２０に対応した検査種別が設定されている。試験数量および検査数量は、例えば、基板種別の生産実績や、段取り替えによる生産環境の変更度合いなどによって定められる。
【００２２】
より具体的には、基板生産ライン１において生産する基板が新規の基板種別Ａである場合には、検査種別として機能検査が設定される（図２のＮｏ１）。また、同一の基板生産ライン１において、同一の基板種別Ａを再度生産する場合には、生産実績、および段取り替えによる生産環境の変更度合いを勘案して、検査種別として外観検査が設定される（図２のＮｏ４）。
【００２３】
試験生産データＭ２の「制限タイプ」とは、基板生産装置１０が受け付けた動作指令に対して、どの程度の制限を行うかを示すものである。ここで、基板生産装置１０が受け付ける「動作指令」とは、基板生産装置１０の動作を要求する指令である。具体的には、動作指令には、基板生産装置１０への基板の搬入指定、生産処理に係るパラメータの変更指令、部品実装機１２においては部品供給装置（不図示）にセットされる電子部品の交換指令などが含まれる。基板生産装置１０は、オペレータによる機上操作、その他に基板生産装置１０の動作を実質的に要求する操作、配置、作業等をもって上記の動作指令を受け付ける。
【００２４】
試験生産データＭ２の制限タイプは、基板生産装置１０の機種によっても具体的な制限内容が相違するが、例えばタイプＬ１には、本生産工程への移行、電子部品の交換、パラメータの変更などを禁止することが設定される。許否判定部５１は、試験生産データＭ２の制限タイプに基づいて、基板生産ライン１が試験生産工程から本生産工程への移行前（試験生産工程の実施中、本生産工程の開始の待機中を含む）において、基板生産装置１０が受け付ける動作指令の実行許否を判定する。
【００２５】
許否判定部５１による判定結果は、ホストコンピュータ４０の記憶装置４１に制限情報データＭ３として記憶される（図１を参照）。処理管理部５２は、許否判定部５１による判定結果に基づいて基板生産装置１０における動作指令の処理を制御する。詳細には、処理管理部５２は、基板生産装置１０がオペレータによる機上操作により動作指令を受け付けた場合に、制限情報データＭ３を参照して当該動作指令に応じた処理を実行するか否かを制御する。
【００２６】
例えば、許否判定部５１は、試験生産工程の実施中において、オペレータが本生産工程を開始するような誤った機上操作を行った場合に、本生産工程の移行処理の実行を制限情報データＭ３に基づいて制限する。一方で、許否判定部５１は、試験生産工程の実施中であっても、例えば基板生産装置１０の点検操作やパラメータの確認操作を受け付けた場合には、これらの処理を制限情報データＭ３に基づいて実行する。
【００２７】
（生産管理装置による基板生産装置の制御）
上記の生産管理装置５０による基板生産装置１０の制御について、図２〜図５を参照して説明する。生産管理装置５０の許否判定部５１は、任意のタイミングで判定処理を行って、制限情報データＭ３を生成または更新する。判定処理を行うタイミングは、試験生産工程から本生産工程への移行前であって、例えば段取り替えの終了時、検査装置２０から検査結果を入力した時、基板生産装置１０から通知を受けた時、前回の判定処理から一定時間が経過した時などである。
【００２８】
ここでは、図２に示される生産計画データＭ１に従って、基板種別Ａが生産される（図２のＮｏ１）ものとして説明する。許否判定部５１は、図３に示すように、生産計画データＭ１および試験生産データＭ２に基づいて、次に実施される本生産工程に対応した試験生産工程における試験数量、検査種別、および制限タイプを取得する（ステップ１１（以下、「ステップ」を「Ｓ」と表記する）。ここでは、試験数量として「１枚」、検査種別として「機能検査」、制限タイプとして「Ｌ１」が取得される。
【００２９】
次に、許否判定部５１は、基板生産ライン１による試験生産工程における検査状態および検査結果を取得する（Ｓ１２）。具体的には、検査状態は、初期基板が生産中であるか否か、生産を開始した初期基板の数量などを含む。また、検査結果は、最終的に必要とする検査の結果、および当該検査より以前の中間検査の結果などを含む。
【００３０】
続いて、許否判定部５１は、取得した検査状態および検査結果に基づいて、基板生産装置１０が受け付ける動作指令の実行許否を判定する（Ｓ１３）。そして、許否判定部５１は、当該判定の結果に基づいて、制限情報データＭ３を生成する（Ｓ１４）。また、許否判定部５１は、上記の制限情報データＭ３が既存の場合には、当該データを更新する（Ｓ１４）。
【００３１】
具体的には、許否判定部５１は、試験生産データＭ２により指定されている検査種別「機能検査」の検査を行う機能検査装置２３により取得した検査結果が、合格となっているか否かを判定する（Ｓ１３）。許否判定部５１は、試験数量が複数に設定されている場合には、試験数量の初期基板に対して合否判定を行う。許否判定部５１は、この判定結果と制限タイプ「Ｌ１」に基づいて、対象となる動作指令について制限するように制限情報データＭ３を生成または更新する（Ｓ１４）。
【００３２】
また、生産管理装置５０の処理管理部５２は、基板生産装置１０が動作指令を受け付けた場合に、当該動作指令の処理の制御を行う。詳細には、処理管理部５２は、図４に示すように、受け付けた動作指令について許否判定部５１による実行の許可を要するものか否かについて判定する（Ｓ２１）。例えば、処理管理部５２は、動作指令が基板の生産に関しない照明灯の調整であったり作業扉の開閉であったりする場合には、許否判定の結果に要しないものと判定する（Ｓ２１：Ｎｏ）。
【００３３】
一方で、処理管理部５２は、受け付けた動作指令が制限タイプ（図２を参照）によっては実行の許可を要するものと判定した場合には（Ｓ２１：Ｙｅｓ）、ホストコンピュータ４０への問い合わせを行う（Ｓ２２）。この問い合わせは、受け付けた動作指令の内容、受け付けた基板生産装置１０を特定する情報等を含む。ホストコンピュータ４０は、動作指令の内容、制限情報データＭ３などに基づいて、問い合わせを行った基板生産装置１０に対して許可信号または不許可信号を送出する。
【００３４】
処理管理部５２は、受信した信号が実行許可であるか実行不許可であるかを判定する（Ｓ２３）。処理管理部５２は、動作指令の処理に許否判定の結果を要しない場合（Ｓ２１：Ｎｏ）、およびホストコンピュータ４０より許可信号を受信した場合（Ｓ２３：Ｙｅ）には、当該動作指令の処理を実行する（Ｓ２４）。一方で、ホストコンピュータ４０より不許可信号を受信した場合（Ｓ２３：Ｎｏ）には、当該動作指令の処理を行わないように制限する。
【００３５】
また、Ｓ２２において問い合わせを受けたホストコンピュータ４０は、上述のように、基板生産装置１０に対して許可信号または不許可信号を送出する。詳細には、ホストコンピュータ４０は、図５に示すように、動作指令の内容を判別する（Ｓ３１）。そして、ホストコンピュータ４０は、Ｓ１４において許否判定部５１により予め生成または更新されている制限情報データＭ３を参照して、動作指令の処理の実行許否についての結果を抽出する。
【００３６】
ホストコンピュータ４０は、抽出された実行許否についての結果が許可の場合には（Ｓ３２：Ｙｅｓ）、基板生産ライン１の管理者による制限の有無の判定を行う（Ｓ３３）。管理者は、基板生産ライン１による基板の生産を統括管理する権限を有する。ホストコンピュータ４０は、管理者により、例えば生産の中断指示を受け付けていたり、基板生産装置１０における機上操作を無効化する指示を受け付けていたりする場合には（Ｓ３３：Ｎｏ）、Ｓ３２の結果に関わらず問い合わせのあった動作指令の処理に対する不許可信号を基板生産装置１０に送出する（Ｓ３６）。
【００３７】
続いて、ホストコンピュータ４０は、管理者による制限がない場合には（Ｓ３３：Ｙｅｓ）、異常報告による制限の有無の判定（Ｓ３４）を行う。ここで、「異常報告」とは、各装置１０，２０，３０において検出された各種異常について、ホストコンピュータ４０が事前に受け付けたものである。ホストコンピュータ４０は、異常報告による内容に基づいて、試験生産工程の実施継続や本生産工程への移行を制限すべきと判断した場合には（Ｓ３４：Ｎｏ）、Ｓ３３の結果に関わらず問い合わせのあった動作指令の処理に対する不許可信号を基板生産装置１０に送出する（Ｓ３６）。
【００３８】
一方で、ホストコンピュータ４０は、例えば異常報告の内容が軽微、または管理者やメンテナンス作業者により報告のあった異常が解除されているなど、異常報告による制限がない場合（Ｓ３４：Ｙｅｓ）には、問い合わせのあった基板生産装置１０に対して動作指令の処理に対する許可信号を送出する（Ｓ３５）。ホストコンピュータ４０は、異常報告による制限がある場合には（Ｓ３４：Ｎｏ）、問い合わせのあった動作指令の処理に対する不許可信号を基板生産装置１０に送出する（Ｓ３６）。
【００３９】
ここで、本実施形態の基板生産ライン１は、上述のように、基板の搬送方向の最上位に位置するスクリーン印刷機１１への基板の搬入をもって基板に対する各種の生産処理の実行を指令されたものとみなす。つまり、基板生産ライン１は、段取り替えの後に、スクリーン印刷機１１に基板を順次搬入されると、本生産工程へと移行することになる。そこで、処理管理部５２は、スクリーン印刷機１１へと基板の搬入させる動作指令を基板生産装置１０が受け付けた場合に、ホストコンピュータ４０より受信する許可信号または不許可信号により基板の搬入処理の実行を制御する。
【００４０】
例えば、スクリーン印刷機１１への基板の搬入が試験生産工程において試験数量の初期基板を生産するためのものである場合には、スクリーン印刷機１１への基板の搬入は許可される。一方で、試験生産工程においてスクリーン印刷機１１に試験数量だけ基板が搬入された後では、試験数量の生産基板に合格判定がなされるまでは、本生産工程への移行を目的としたスクリーン印刷機１１への基板の搬入は許可されない。但し、試験生産工程において、例えば検査結果に基づいた基板生産装置１０などの調整を行った場合に、初期基板を追加生産することを目的としたスクリーン印刷機１１への基板の搬入は許可される。
【００４１】
このように、処理管理部５２は、スクリーン印刷機１１への基板の搬入を制限することにより、試験生産工程から本生産工程への移行処理を制御する。また、基板生産ライン１の先頭に基板供給装置が配置されている場合には、処理管理部５２が基板供給装置による基板の供給を制御することになる。
【００４２】
（実施形態の構成による効果）
本実施形態に係る生産管理装置５０は、基板生産ライン１による基板生産を管理する装置である。基板生産ライン１は、基板に対して各種の生産処理を実行する基板生産装置１０と、生産処理された基板を検査する検査装置２０と、を有する。許否判定部５１は、基板生産装置１０により生産処理された規定数量の初期基板を対象として検査装置２０が検査する試験生産工程から後の本生産工程への移行前において、検査装置２０による初期基板の検査状態および検査結果に基づいて、基板生産装置１０が受け付ける動作指令の実行許否を判定する。処理管理部５２は、許否判定部５１による判定結果に基づいて基板生産装置１０における動作指令の処理を制御する。
【００４３】
このような構成によると、許否判定部５１により基板生産装置１０が受け付ける動作指令の実行許否が判定される。これにより、本生産工程への移行前において基板生産装置１０における動作指令の処理が処理管理部５２により制御される。よって、基板生産装置１０の誤作動が防止される。また、基板生産装置１０におけるパラメータなどを変更する動作指令の処理が処理管理部５２により制御される。これにより、段取り替えにより構成された基板生産ライン１の生産環境を適切に保持される。
【００４４】
また、試験生産工程には、検査装置２０（機能検査装置２３）により基板機能を検査する機能検査が含まれる。許否判定部５１は、規定数量の初期基板を対象とした機能検査の結果に基づいて、試験生産工程から本生産工程への移行処理に係る動作指令の実行許否を判定する。
【００４５】
基板生産ライン１において、例えば新規の基板種別を生産する場合には、製品と同様の状態において要求される基板機能が適切に発揮されるか否かの機能検査が実施されることがある。しかし、機能検査を行う場合には他の検査と比較すると検査終了までに時間を要する。そのため、試験生産工程の検査種別に機能検査が含まれる場合には、段取り替えから本生産工程を開始するまでの期間が長くなる。そうすると、オペレータの機上操作などにより基板生産装置１０が動作指令を受け付ける機会が多くなる。このような状態においても、基板生産ライン１の生産環境を保持することは、確実に誤作動を防止することになり、特に有用である。
【００４６】
また、処理管理部５２は、基板生産ライン１において基板の搬送方向の最上位に位置する基板生産装置１０（スクリーン印刷機１１）への基板の搬入を制限することにより、試験生産工程から本生産工程への移行処理を制御する。
【００４７】
本実施形態の基板生産ライン１は、基板の搬送方向の最上位に位置するスクリーン印刷機１１への基板の搬入をもって、基板の生産の開始とみなす構成としている。このような基板生産ライン１において、処理管理部５２が当該基板の搬入に係る動作指令の処理を制御することにより、本生産工程へと誤って移行することが防止される。
【００４８】
また、生産管理装置５０は、本生産工程により生産される基板種別ごとに、試験生産工程における検査の検査種別が関連付けられた試験生産データＭ２を備える。許否判定部５１は、次に実施される本生産工程に対応した試験生産工程における検査種別を試験生産データＭ２から取得して、当該検査種別の検査を行う検査装置２０による初期基板の検査状態および検査結果に基づいて、基板生産装置１０が受け付ける動作指令の実行許否を判定する。
【００４９】
このような構成によると、許否判定部５１は、試験生産データＭ２を参照して、生産計画における基板種別に対応した許否判定を行う。つまり、許否判定部５１は、試験生産データＭ２の内容に従って、何れの検査装置２０による検査結果に基づいて判定すればよいのかが自動で切り替える。これにより、基板種別に対応した試験生産工程が実施されるので、基板生産ライン１における生産効率が向上する。
【００５０】
＜実施形態の変形態様＞
実施形態において、生産管理装置５０は、ホストコンピュータ４０に設けられた許否判定部５１と、複数の基板生産装置１０にそれぞれ設けられる複数の処理管理部５２と、記憶装置４１に記憶される試験生産データＭ２とを備えて構成される。これに対して、許否判定部５１、処理管理部５２、および試験生産データＭ２は、基板生産装置１０および検査装置２０と通信可能であれば、基板生産装置１０の他に外部装置に設ける構成としてもよい。
【００５１】
また、実施形態において、制限情報データＭ３は、記憶装置４１により試験生産データＭ２とともに記憶される。これに対して、制限情報データＭ３は、基板生産装置１０の動作指令の許否判定の結果を示すものとして、処理管理部５２が配置された基板生産装置１０に記憶されるようにしてもよい。これにより、処理管理部５２は、基板生産装置１０が動作指令を受け付けた場合に、ホストコンピュータ４０と通信することなく、制限情報データＭ３を参照して、当該動作指令の処理を制御することができる。
【００５２】
また、許否判定部５１は、任意のタイミングで判定処理を行って、制限情報データＭ３を生成または更新する。ここで、許否判定部５１は、処理管理部５２が動作指令の処理を制限した後に、検査装置２０による検査結果が更新された場合に、動作指令の実行許否を再度判定してもよい。これにより、制限情報データＭ３は、最新の情報に適宜更新される。そして、処理管理部５２は、先に制限した動作指令について、許否判定部５１により許可された場合には、当該動作指令の処理に対する制限を自動で解除する構成としてもよい。
【００５３】
基板生産装置１０が受け付ける動作指令は、その実行を許否判定部５１に許可されず、処理管理部５２に制限されることがある。これにより、例えば本生産工程への移行処理が制限された場合には、基板生産装置１０の待機状態が維持される。これに対して、動作指令の内容によっては、検査結果が更新され次第、処理されてもよいものがある。そこで、上記のように、許否判定部５１が更新された許否判定の結果に基づいて、自動で制限を解除する構成とする。
【００５４】
これにより、制限されていた動作指令の処理が適正なタイミングで実行される。よって、例えば基板生産装置１０の待機状態が維持されている場合に、検査装置２０により試験数量の合格判定がなされたことにより制限情報データＭ３が更新される。そして、基板生産ライン１は、本生産工程への移行処理の制限が解除されると、自動で本生産工程へと移行する。これにより、基板生産装置１０の待機時間が短縮され、基板生産ライン１の生産効率が向上する。
【００５５】
また、実施形態においては、許否判定部５１は、基板生産装置１０が動作指令を受け付けるタイミングとは関係なく、動作指令の実行許否を予め判定する（Ｓ１３）。これに対して、許否判定部５１は、基板生産装置１０が何らかの動作指令を受け付けた際に、必要であれば生産計画データＭ１および試験生産データＭ２に基づいて、当該動作指令の実行許否を判定するようにしてもよい。そして、処理管理部５２は、個々の動作指令に対する実行許否の判定結果に基づいて、動作指令の処理を制御する。このような構成では、生産管理装置５０は、制限情報データＭ３を備えない構成としてもよい。
【符号の説明】
【００５６】
１：基板生産ライン１０：基板生産装置１１：スクリーン印刷機、１２：部品実装機、１３：リフロー機２０：検査装置２１：印刷検査装置、２２：外観検査装置、２３：機能検査装置３０：基板搬送装置４０：ホストコンピュータ、４１：記憶装置５０：生産管理装置、５１：許否判定部、５２：処理管理部Ｍ１：生産計画データ、Ｍ２：試験生産データＭ３：制限情報データ
【図１】
0006624598.tif 000002
【図２】
0006624598.tif 000003
【図３】
0006624598.tif 000004
【図４】
0006624598.tif 000005
【図５】
0006624598.tif 000006